(57)【要約】【課題】  本発明は、電気マイクロ光学モジュール又はコンパクト・カメラ・モジュールに使用されうるアイリス絞り装置及びその操作方法を開示する。【解決手段】  アイリス絞り装置は、１つ又は少なくとも２つ開口部を有するシフト・ボードを設ける。かかるシフト・ボードを動かすことにより、必要とされる開口部は正しい位置に動かされうる。【選択図】  図１
2006154717.tif 000002
【特許請求の範囲】
【請求項１】
光源と写真用システムの容器との間に設けられるアイリス絞り装置であって、
１つ又は少なくとも２つの貫通する開口部を設けたシフト・ボードを有し、前記ボードが、特定の開口部に対応する所定の位置まで動かされると、前記ボード及び前記１つ又は少なくとも２つの開口部は、前記光源からの光の進路が、前記少なくとも２つの開口部のうち前記特定の開口部を通り前記容器内に入るよう構成される、アイリス絞り装置。
【請求項２】
前記少なくとも２つの貫通する開口部は、異なる寸法又は形状である、請求項１記載のアイリス絞り装置。
【請求項３】
前記１つ又は少なくとも２つの貫通する開口部は、フィルタによって覆われ又は埋められうる、請求項１記載のアイリス絞り装置。
【請求項４】
前記容器は、ＣＣＭ又は電気マイクロ光学モジュールであり、また、前記容器に入る前記光の進路用の固定された入口を有する、請求項１記載のアイリス絞り装置。
【請求項５】
前記シフト・ボードは、平板の形状であり、また、前記１つ又は少なくとも２つの開口部は、前記ボードの最も薄い方向に貫通する、請求項１乃至４に記載のアイリス絞り装置。
【請求項６】
前記シフト・ボードは、ピボットの機構を有し、前記ボードは、前記ピボットの機構上で旋回する、請求項５記載のアイリス絞り装置。
【請求項７】
夫々が１つ又は少なくとも２つの貫通する開口部を有する、１つ又は少なくとも２つの追加のシフト・ボードを更に有し、前記ボード及び前記１つ又は少なくとも２つの開口部は、前記ボードが前記特定の開口部に対応する所定の位置まで動かされるとき、前記光源からの光の進路が、前記少なくとも２つの開口部のうち特定の開口部を通り前記容器内に入るよう構成されている、請求項５記載のアイリス絞り装置。
【請求項８】
前記シフト・ボード及び前記追加のシフト・ボードの夫々が、ピボットの機構を有し、前記ピボットの機構上で旋回する、請求項７記載のアイリス絞り装置。
【請求項９】
前記ピボットの機構の旋回軸は、全て互いに対して直線上又は平行に位置されている、請求項８記載のアイリス絞り装置。
【請求項１０】
前記開口部が、前記旋回軸から等距離に位置されている、請求項６記載のアイリス絞り装置。
【請求項１１】
同一のシフト・ボード上の前記開口部は、前記同一のシフト・ボードの前記旋回軸に等距離で位置されている、請求項８記載のアイリス絞り装置。
【請求項１２】
請求項１乃至４に記載の前記アイリス絞り装置を操作する方法であって、
必要とされる前記特定の開口部が前記光の進路に位置されうるように、前記所定の位置のうち１つに前記シフト・ボードを動かすことによって、前記ＣＣＭに入る光の量又は質を調整する段階を有する方法。
【請求項１３】
前記シフト・ボードは、ピボットの機構上を旋回する手段によって動かされる、請求項１２記載の方法。
【請求項１４】
請求項５に記載の前記アイリス絞り装置を操作する方法であって、
必要とされる前記特定の開口部が前記光の進路に位置されうるように、前記所定の位置のうち１つに前記シフト・ボードを動かすことによって、前記ＣＣＭに入る光の量又は質を調整する段階を有する方法。
【請求項１５】
前記シフト・ボードは、ピボットの機構上を旋回する手段によって動かされる、請求項１４記載の方法。
【請求項１６】
請求項７に記載の前記アイリス絞り装置を操作する方法であって、
前記光源からの前記光の進路が、前記シフト・ボード及び前記追加のシフト・ボード上の特定の開口部、続いてＣＣＭへと順次通ることができるよう、前記所定の位置に前記シフト・ボード及び前記追加のシフト・ボードを動かすことによって、前記ＣＣＭに入る光の量又は質を調整する段階を有する方法。
【請求項１７】
前記シフト・ボード及び追加のシフト・ボードは、ピボットの機構上を旋回する方法によって動かされる、請求項１６記載の方法。
【発明の詳細な説明】
【技術分野】
【０００１】
本発明は、絞り値を調整し、更にフィルタを加えるアイリス絞り装置にかかり、特にコンパクト・カメラ・モジュール（ＣＣＭ）又は電気マイクロ光学モジュール用のアイリス絞り装置にかかる。
【背景技術】
【０００２】
一般的なカメラ（デジタル・カメラを含む）に関しては、絞り値の調整に使用されるアイリス絞り構造は、複数（通常は６枚）のフィン・プレートによって構成され、フィン・プレートは、プレートの遠心性又は求心性の動きによって絞り値を制御するよう、輪状に配置される。しかしながら、かかる構造の組立体は複雑であり、プレートの間を通る光もまた従来技術の構造上の大きな問題である。前述した従来技術の不利点により、ＬＣＤに基づくアイリス絞り構造であるＴＷ５８２，２６５等の、多くの革新されたアイリス絞り（絞り部）構造が発明されている。ＬＣＤの色及びパターンを調整することにより、ＣＣＭ（つまり絞り部及びシャッター）に入る光が正確に調整されうる。しかしながら、ＬＣＤのリフレッシュ速度の遅さが商用シャッターとして不適当であるばかりではなく、ＬＣＤはまた、デジタル・カメラで消費される全電力のうちかなりの部分を消費するものであり、他のＬＣＤの追加は明らかに得策ではない。
【特許文献１】ＴＷ５８２，２６５
【発明の開示】
【発明が解決しようとする課題】
【０００３】
本発明は、従来技術の不利点を解決する、写真用システムにおけるアイリス絞り構造の革新的な構造を提起する。
【課題を解決するための手段】
【０００４】
本発明は、写真用システムにおけるアイリス構造とその操作方法にかかり、アイリス絞り構造は電気マイクロ光学モジュール用、特にＣＣＭ用のアドオン構造でありうる。本発明は、携帯機器における電力を節減するよう、複雑性及び運動慣性を低減するために、調整可能なフィン・プレートではなく、事前成形された調整可能でない開口部を使用する。例えば、写真用システムが５つの異なる絞り値を有する場合、異なる寸法（又は形状）で５つの開口部が事前形成される。上述の開口部は、シフト・ボード上に位置し、望ましい開口部が光の進路にあわせて動かされるよう、上述のボードは可動であり、従って絞り機能の調整又はフィルタリングを実行することができる。当然のことながら、本発明の小型性によって、１つの写真用システムに１つ以上のアイリス絞り装置を設けることが可能であり、若しくは、１つのアイリス絞り装置が１つ以上のシフト・ボードを有することが可能であり、従ってその組み合わせは有用でありうる。例えば、横方向の寸法が、特定の「設置面積（フットプリント）」又は横方向の大きさによって制限されるとき、１つ以上のシフト・ボードを有し、また、各ボードが単一のシフト・ボードが有するより少ない数の開口部／フィルタを有しうる設計が、設置面積内の寸法を低減するよう適用される。上述された全てのシフト・ボードは層を成して置かれ、また、シフト・ボードは、操作中に突出することなく限られた大きさのなかにそれらを囲い込むのに十分な程小さい。構造の機構の一例は、ゼンマイ式腕時計の週／日付の調整の機構である。「週」及び「日付」の表示層は異なり、各層は中空軸を介して同一の外側のノブによって調整されうる。
【０００５】
更に、フィルタが、より高い機能性のために開口部に取り付けられうる。フィルタのタイプ（紫外線カット、赤外線カット、暗視、又は調光フィルタ）と共に、開口部（アイリス絞り）の寸法は、写真のオプション要求によって入替え又は組合せが可能である。開口部は、外付けのノブによって手で、又は、ギア・モータの組合せによって電動で、動かすことが可能である。特定の写真効果の取得に関して、フィルタと開口部の組合せの賢明な選択としては、電動で動く方が望ましい。本発明は、以下の利点を有する。
１．  高さ（Ｚ方向）の増加を最小限に抑えて、操作及び取付けが簡単である。
２．  ＣＣＭのパッケージングは損傷を受けず、溶接密閉の破損や可能性のある粒子汚染のリスクを最小限に抑える。
３．  フィルタとメカニズムを交換するアイリス絞りは、単一の構造に結合されうる。
【発明を実施するための最良の形態】
【０００６】
本発明は、本発明の目的、技術内容、特徴、及び成果をより容易に理解させるであろう添付の図面を参照し、例証として詳述される。
【０００７】
添付図に関する望ましい実施例の詳細の説明は、本発明を詳述することを意図とし、本発明を実施するための形態を制限するものではない。
【０００８】
図１中、本発明による実施例が、ＣＣＭに取り付けられている。一般的なＣＣＭは、基材上に固着された画像センサ１０６と、レンズバレル１０４と、レンズマウント１０５とを含む。画像センサ１０６は基材上に取り付けられ、レンズマウント１０５もまた、画像センサ１０６を覆うよう、基材上に取り付けられる。レンズバレル１０４は、レンズマウント１０５及び基材の内部に置かれ、レンズマウント１０５及びレンズバレル１０４は閉じられた空間を形成し、内部に画像センサ１０６を含む。レンズバレル１０４は、焦点合わせという目的を達成するために、画像センサ１０６に対して近づく、又は離れる動きができる。図１中、ＣＣＭは、ＣＣＭに入る光の進路専用の入口を有するパッケージ構造１０３によって覆われており、アイリス絞り構造はその上に置かれる。
【０００９】
図２では、写真用システムの外側プレート１０１は、アイリス絞り装置をよりはっきり見ることができるよう取り除かれている。本発明による実施例は、扇形のシフト・ボード１０２を有し、また、本実施例に示す３つの開口部２０１等の１つ又は少なくとも２つの開口部が、シフト・ボード１０２の旋回軸２０２に対して等距離をおいて成形される。シフト・ボード１０２は、旋回軸２０２の周りで旋回する。光の進路は、まず外側プレート１０１を通り、その後開口部２０１を通過し、上述の入口を通ってＣＣＭへ入る。開口部２０１の夫々は、扇形シフト・ボードに対応する位置を有する。絞り値が要求されるとき、シフト・ボード１０２は、要求された開口部が光の進路上に位置するよう、上述の要求された開口部に対応する位置へと移動する。本実施例では、発明の範囲を制限するのではなく単なる例として、ピン２０３をシフト・ボード１０２上に固定し、シフト・ボードが動くと、多数の丸い穴を有するトレイルで摺動する（図示せず）。ピンが丸い穴の１つに入ると、シフト・ボードはその位置で動かなくなり、これが、前述の「停止位置」の１つを決定する。
【図面の簡単な説明】
【００１０】
【図１】写真用システムにインストールされた本発明の断面図である。
【図２】本発明の立体分解図である。
【符号の説明】
【００１１】
１０１  外側プレート
１０２  シフト・ボード
１０３  パッケージング構造
１０４  レンズバレル
１０５  レンズマウント
１０６  画像センサ
１０１  外側プレート
１０２  シフト・ボード
１０３  パッケージング構造
２０１  開口部
２０２  ピボット
２０３  ピン
【図１】
2006154717.tif 000003
【図２】
2006154717.tif 000004